【手続補正書】
【提出日】平成28年8月1日(2016.8.1)
【手続補正１】
【補正対象書類名】特許請求の範囲
【補正対象項目名】全文
【補正方法】変更
【補正の内容】
【特許請求の範囲】
【請求項１】
コンプレッサ構成要素で、データパケットフローを受信するステップと、
前記データパケットフローに関連付けられる1つまたは複数のデータパケットから前記データパケットフローに関連付けられる情報を判断するステップであって、前記判断された情報が、前記データパケットフローの前記1つまたは複数のデータパケットに対応する送信元情報または宛先情報を含む、ステップと、
前記1つまたは複数のデータパケットを分析して、パケット特性を判断すること、または、前記1つまたは複数のデータパケット内の特定の位置にあるデータを識別することのうち少なくとも１つを行うステップと、
前記判断された情報および前記パケット特性がアプリケーションに対応すると判定するステップまたは前記識別されたデータが圧縮可能なトラフィックに対応する既知のタイプにマッチすると判定するステップのうち少なくとも１つに基づいて、前記データパケットフローを、圧縮可能なデータパケットフローまたは非圧縮データパケットフローに分類するステップと、
前記データパケットフローが前記圧縮可能なデータパケットフローに分類されたときに送信するための1つまたは複数の圧縮されたデータパケットを生成するために、前記データパケットフローに関連付けられる前記1つまたは複数のデータパケットを圧縮するステップと、
前記データパケットフローが前記圧縮可能なデータパケットフローに分類されたときに、前記1つまたは複数の圧縮されたデータパケットを送信するか、または、前記データパケットフローが前記非圧縮データパケットフローに分類されたときに、前記1つまたは複数のデータパケットを送信するステップと、
を含む、ワイヤレス通信の方法。
【請求項２】
前記データパケットフローに関連付けられる情報を判断する前記ステップが、送信元ポートまたは宛先ポートのうちの少なくとも1つを判断するステップを備え、分類する前記ステップが、圧縮可能なデータを搬送するポートに対応する前記送信元ポートまたは前記宛先ポートのうちの前記少なくとも1つに基づいて、前記データパケットフローを前記圧縮可能なデータパケットフローに分類するステップをさらに含み、分類する前記ステップが、圧縮されるべきではないデータを搬送するポートに対応する前記送信元ポートまたは前記宛先ポートのうちの前記少なくとも1つに基づいて、前記データパケットフローを前記非圧縮データパケットフローに分類するステップをさらに含む、請求項1に記載の方法。
【請求項３】
前記データパケットフローに関連付けられる情報を判断する前記ステップが、送信元アドレスまたは宛先アドレスのうちの少なくとも1つを判断するステップを備え、分類する前記ステップが、圧縮可能なデータを搬送するアドレスに対応する前記送信元アドレスまたは前記宛先アドレスのうちの前記少なくとも1つに基づいて、前記データパケットフローを前記圧縮可能なデータパケットフローに分類するステップをさらに備え、分類する前記ステップが、圧縮されるべきではないデータに関連付けられるアドレスに対応する前記送信元アドレスまたは前記宛先アドレスのうちの前記少なくとも1つに基づいて、前記データパケットフローを前記非圧縮データパケットフローに分類するステップをさらに含む、請求項1に記載の方法。
【請求項４】
前記データパケットフローに関連付けられるアプリケーションを、前記アプリケーションに対応する前記1つまたは複数のデータパケットの前記送信元情報または前記宛先情報を含む情報を判断する前記ステップに基づいて、識別するステップと、
前記アプリケーションを、圧縮可能なデータもしくは圧縮されるべきではないデータを送信するステップまたは受信するステップに関連付けられているものと識別するステップと
をさらに含み、
分類する前記ステップが、前記アプリケーションが圧縮可能なデータを送信するステップまたは受信するステップに関連付けられていることに基づいて、前記データパケットフローを前記圧縮可能なデータパケットフローに分類するステップをさらに含み、分類する前記ステップが、前記アプリケーションが圧縮されるべきではないデータを送信するステップまたは受信するステップに関連付けられていることに基づいて、前記データパケットフローを前記非圧縮データパケットフローに分類するステップをさらに含む、請求項1に記載の方法。
【請求項５】
前記データパケットフローに関連付けられている前記アプリケーションを識別する前記ステップが、前記アプリケーションの識別情報を前記データパケットフローに対応するものとして受信するステップをさらに含む、請求項4に記載の方法。
【請求項６】
前記データパケットフローに関連付けられている前記アプリケーションを識別する前記ステップが、
前記パケット特性が、前記アプリケーションに対応すると判断するステップ
をさらに備える、請求項4に記載の方法。
【請求項７】
前記1つまたは複数のデータパケットを分析する前記ステップが、前記1つまたは複数のデータパケットの内容を分析するステップをさらに含む、請求項6に記載の方法。
【請求項８】
前記データパケットフローに関連付けられる情報を判断する前記ステップが、
パケット特性を判断するために、前記1つまたは複数のデータパケットを分析するステップと、
前記パケット特性を、圧縮可能なデータもしくは圧縮されるべきではないデータを送信するステップまたは受信するステップに関連付けられているものと判断するステップとをさらに含み、
分類する前記ステップが、圧縮可能なデータを送信するステップまたは受信するステップに関連付けられている前記パケット特性に基づいて、前記データパケットフローを前記圧縮可能なデータパケットフローに分類するステップをさらに含み、分類する前記ステップが、圧縮されるべきではないデータを送信するステップまたは受信するステップに関連付けられている前記パケット特性に基づいて、前記データパケットフローを前記非圧縮データパケットフローに分類するステップをさらに含む、請求項1に記載の方法。
【請求項９】
分類する前記ステップが、前記判断された情報に基づいて、前記データパケットフローを前記圧縮可能なデータパケットフローに分類するステップをさらに含み、
送信する前記ステップが、前記1つまたは複数の圧縮されたデータパケットを送信するステップを含む、請求項1に記載の方法。
【請求項１０】
分類する前記ステップが、前記判断された情報に基づいて、前記データパケットフローを前記非圧縮データパケットフローに分類するステップと、
前記データパケットフローを前記非圧縮データパケットフローに分類する前記ステップに基づいて、前記データパケットフローに関連付けられる前記1つまたは複数のデータパケットを圧縮する前記ステップをスキップするステップと、
をさらに含み、
送信する前記ステップが、前記1つまたは複数のデータパケットを送信するステップを含む、請求項1に記載の方法。
【請求項１１】
データパケットフローを受信するように構成された受信機構成要素と、
前記データパケットフローに関連付けられる1つまたは複数のデータパケットから前記データパケットフローに関連付けられる情報を判断するように構成されたフロー情報判断構成要素であって、前記判断された情報が、前記データパケットフローの前記1つまたは複数のデータパケットに対応する送信元情報または宛先情報を含み、前記フロー情報判断構成要素が、前記1つまたは複数のデータパケットを分析して、パケット特性を判断すること、または、前記1つまたは複数のデータパケット内の特定の位置にあるデータを識別することのうち少なくとも１つを行うようにさらに構成される、フロー情報判断構成要素と、
前記判断された情報および前記パケット特性がアプリケーションに対応すると判定するステップまたは前記識別されたデータが圧縮可能なトラフィックに対応する既知のタイプにマッチすると判定するステップのうち少なくとも１つに基づいて、前記データパケットフローを、圧縮可能なデータパケットフロー、または非圧縮データパケットフローに分類するように構成された分類構成要素と、
前記データパケットフローが前記圧縮可能なデータパケットフローに分類されたときに送信するための1つまたは複数の圧縮されたデータパケットを生成するために、前記データパケットフローに関連付けられる前記1つまたは複数のデータパケットを圧縮するように構成されたコンプレッサと、
前記データパケットフローが前記圧縮可能なデータパケットフローに分類されたときに、前記1つまたは複数の圧縮されたデータパケットを送信するか、または、前記データパケットフローが前記非圧縮データパケットフローに分類されたときに、前記1つまたは複数のデータパケットを送信するように構成された出力構成要素と
を含むコンプレッサ構成要素を備える、ワイヤレス通信の装置。
【請求項１２】
前記フロー情報判断構成要素が、送信元ポートまたは宛先ポートのうちの少なくとも1つを判断するようにさらに構成され、前記分類構成要素が、圧縮可能なデータを搬送するポートに対応する前記送信元ポートまたは前記宛先ポートのうちの前記少なくとも1つに基づいて、前記データパケットフローを前記圧縮可能なデータパケットフローに分類するようにさらに構成され、前記分類構成要素が、圧縮されるべきではないデータを搬送するポートに対応する前記送信元ポートまたは前記宛先ポートのうちの前記少なくとも1つに基づいて、前記データパケットフローを前記非圧縮データパケットフローに分類するようにさらに構成される、請求項11に記載の装置。
【請求項１３】
前記データパケットフローに関連付けられる前記判断された情報が、送信元アドレスまたは宛先アドレスのうちの少なくとも1つを含み、前記分類構成要素が、圧縮可能なデータを搬送するアドレスに対応する前記送信元アドレスまたは前記宛先アドレスのうちの前記少なくとも1つに基づいて、前記データパケットフローを前記圧縮可能なデータパケットフローに分類するようにさらに構成され、前記分類構成要素が、圧縮されるべきではないデータに関連付けられるアドレスに対応する前記送信元アドレスまたは前記宛先アドレスのうちの前記少なくとも1つに基づいて、前記データパケットフローを前記非圧縮データパケットフローに分類するようにさらに構成される、請求項11に記載の装置。
【請求項１４】
前記分類構成要素が、
前記データパケットフローに関連付けられるアプリケーションを、前記アプリケーションに対応する前記1つまたは複数のデータパケットの前記送信元情報または前記宛先情報を含む情報を判断するステップに基づいて識別し、
前記アプリケーションを、圧縮可能なデータもしくは圧縮されるべきではないデータを送信するステップまたは受信するステップに関連付けられているものと識別し、
前記アプリケーションが圧縮可能なデータを送信するステップまたは受信するステップに関連付けられていることに基づいて、前記データパケットフローを前記圧縮可能なデータパケットフローに分類し、前記アプリケーションが圧縮されるべきではないデータを送信するステップまたは受信するステップに関連付けられていることに基づいて、前記データパケットフローを前記非圧縮データパケットフローに分類する
ようにさらに構成される、請求項11に記載の装置。
【請求項１５】
前記データパケットフローに関連付けられている前記アプリケーションを識別するために、前記分類構成要素が、前記アプリケーションの識別情報を前記データパケットフローに対応するものとして受信するようにさらに構成される、請求項14に記載の装置。
【請求項１６】
前記データパケットフローに関連付けられている前記アプリケーションを識別するために、前記分類構成要素が、前記パケット特性が前記アプリケーションに対応すると判断するようにさらに構成される、請求項14に記載の装置。
【請求項１７】
前記分類構成要素が、前記1つまたは複数のデータパケットの内容を分析するようにさらに構成される、請求項16に記載の装置。
【請求項１８】
前記フロー情報判断構成要素が、パケット特性を判断するために、前記1つまたは複数のデータパケットを分析し、前記パケット特性を、圧縮可能なデータもしくは圧縮されるべきではないデータを送信するステップまたは受信するステップに関連付けられているものと判断するようにさらに構成され、前記分類構成要素が、圧縮可能なデータを送信するステップまたは受信するステップに関連付けられている前記パケット特性に基づいて、前記データパケットフローを前記圧縮可能なデータパケットフローに分類するようにさらに構成され、
前記分類構成要素が、圧縮されるべきではないデータを送信するステップまたは受信するステップに関連付けられている前記パケット特性に基づいて、前記データパケットフローを前記非圧縮データパケットフローに分類するようにさらに構成される、請求項11に記載の装置。
【請求項１９】
前記分類構成要素が、前記判断された情報に基づいて、前記データパケットフローを前記圧縮可能なデータパケットフローに分類するようにさらに構成され、前記出力構成要素が、前記1つまたは複数の圧縮されたデータパケットを送信するようにさらに構成される、請求項11に記載の装置。
【請求項２０】
前記分類構成要素が、前記判断された情報に基づいて、前記データパケットフローを前記非圧縮データパケットフローに分類するようにさらに構成され、前記コンプレッサが、前記データパケットフローを前記非圧縮データパケットフローに分類するステップに基づいて、前記データパケットフローに関連付けられる前記1つまたは複数のデータパケットを圧縮するステップをスキップするようにさらに構成され、前記出力構成要素が、前記1つまたは複数のデータパケットを送信するようにさらに構成される、請求項11に記載の装置。
【請求項２１】
データパケットフローを受信するための手段と、
前記データパケットフローに関連付けられる1つまたは複数のデータパケットから前記データパケットフローに関連付けられる情報を判断するための手段であって、前記判断された情報が、前記データパケットフローの前記1つまたは複数のデータパケットに対応する送信元情報または宛先情報を含む、手段と、
前記1つまたは複数のデータパケットを分析して、パケット特性を判断すること、または、前記1つまたは複数のデータパケット内の特定の位置にあるデータを識別することのうち少なくとも１つを行うための手段と、
前記判断された情報および前記パケット特性がアプリケーションに対応すると判定するステップまたは前記識別されたデータが圧縮可能なトラフィックに対応する既知のタイプにマッチすると判定するステップのうち少なくとも１つに基づいて、前記データパケットフローを、圧縮可能なデータパケットフローまたは非圧縮データパケットフローに分類するための手段と、
前記データパケットフローが前記圧縮可能なデータパケットフローに分類されたときに送信するための1つまたは複数の圧縮されたデータパケットを生成するために、前記データパケットフローに関連付けられる前記1つまたは複数のデータパケットを圧縮するための手段と、
前記データパケットフローが前記圧縮可能なデータパケットフローに分類されたときに、前記1つまたは複数の圧縮されたデータパケットを送信するか、または、前記データパケットフローが前記非圧縮データパケットフローに分類されたときに、前記1つまたは複数のデータパケットを送信するための手段と
を備える、ワイヤレス通信のためのコンプレッサ構成要素を含む装置。
【請求項２２】
コンプレッサ構成要素で、データパケットフローを受信するための、コンピュータによって実行可能なコードと、
前記データパケットフローに関連付けられる1つまたは複数のデータパケットから前記データパケットフローに関連付けられる情報を判断するための、前記コンピュータによって実行可能なコードであって、前記判断された情報が、前記データパケットフローの前記1つまたは複数のデータパケットに対応する送信元情報または宛先情報を含む、前記コンピュータによって実行可能なコードと、
前記1つまたは複数のデータパケットを分析して、パケット特性を判断すること、または、前記1つまたは複数のデータパケット内の特定の位置にあるデータを識別することのうち少なくとも１つを行うための前記コンピュータによって実行可能なコードと、
前記判断された情報および前記パケット特性がアプリケーションに対応すると判定するステップまたは前記識別されたデータが圧縮可能なトラフィックに対応する既知のタイプにマッチすると判定するステップのうち少なくとも１つに基づいて、前記データパケットフローを、圧縮可能なデータパケットフローまたは非圧縮データパケットフローに分類するための前記コンピュータによって実行可能なコードと、
前記データパケットフローが前記圧縮可能なデータパケットフローに分類されたときに送信するための1つまたは複数の圧縮されたデータパケットを生成するために、前記データパケットフローに関連付けられる前記1つまたは複数のデータパケットを圧縮するための、前記コンピュータによって実行可能なコードと、
前記データパケットフローが前記圧縮可能なデータパケットフローに分類されたときに、前記1つまたは複数の圧縮されたデータパケットを送信するか、または、前記データパケットフローが前記非圧縮データパケットフローに分類されたときに、前記1つまたは複数のデータパケットを送信するための、前記コンピュータによって実行可能なコードとを備える、非一時的コンピュータ可読記憶媒体。